(57)【要約】【課題】  液晶テレビなどの薄型表示装置を構成する額縁状の前キャビネットの背面に構成部品を取り付けるため該前キャビネットと一体に形成されたボスやリブの偏肉に起因し発生するヒケによる外観品位を損なう問題への対応手段を提供する。【解決手段】  液晶テレビなどの薄型表示装置を構成する前キャビネット２の背面に配設したボスやリブ位置に対応する該前キャビネットの前面に発生するヒケの発生を防止するため、スピーカパネル部６に多数穿設された該スピーカ部放音孔６ａ領域に隣接し、多数の有底孔６ｂで構成される同一パターンのスピーカ装飾孔領域を形成し、該スピーカ部装飾孔領域に対応する該スピーカパネル部６の背面に選択的にボス１７やリブ１８を形成することにより平坦面において目立つヒケによる外観品位の低下を回避または軽減する。【選択図】  図５
2007116221.tif 000002
【特許請求の範囲】
【請求項１】
液晶表示パネルやプラズマディスプレイパネルなどを表示素子とする薄型表示装置のキャビネットにおいて、該薄型表示装置の前キャビネットと一体に形成されたスピーカパネル部に穿設された多数のスピーカ放音孔領域に隣接し、該スピーカ放音孔領域と略同一パターンで形成された装飾孔領域に対応する該スピーカパネル部の背面に、リブやボスを形成したことを特徴とするキャビネット。
【請求項２】
液晶表示パネルやプラズマディスプレイパネルなどを表示素子とする薄型表示装置のキャビネットにおいて、該薄型表示装置の前キャビネットは額縁状をなし、中央の表示領域の左右の領域にはスピーカパネル部が一体に形成されており、該スピーカパネル部に穿設された多数のスピーカ放音孔領域に隣接して該スピーカ放音孔領域と略同一パターンで形成された装飾孔領域に対応する該スピーカパネル部の背面に、リブやボスを形成したことを特徴とするキャビネット。
【請求項３】
請求項１、又は２に記載のキャビネットにおいて、前記装飾孔は有底孔であることを特徴とするキャビネット。
【請求項４】
請求項２、又は３に記載のキャビネットにおいて、前記ボスは前記表示領域の背面側に設けられる部材の固定に用いられることを特徴とするキャビネット。
【請求項５】
請求項１乃至４のいずれかに記載のキャビネットは、少なくとも前記薄型表示装置の外観部に相当する面は高光沢仕上げであることを特徴とするキャビネット。
【発明の詳細な説明】
【技術分野】
【０００１】
本発明は、液晶テレビなどの薄型表示装置を構成する額縁状の前キャビネットの構造に関し、詳しくは該前キャビネットの背面に該前キャビネットと一体に形成されたリブやボスの配設位置に対応する該前キャビネットの前面に発生する凹痕状のヒケによる外観品位の低下を回避する手段に関する。
【背景技術】
【０００２】
熱可塑性樹脂材料により構成される成形キャビネットと他の部品とを相互に締結する手段としては、該熱可塑性樹脂成形キャビネットにボスを一体に形成し、該熱可塑性樹脂成形キャビネットと他の部品とを螺着する手段が広く適用されている。また該ボスが立ち上がる部分の補強用としてリブが共に形成される場合が多い。これらのボスやリブが立ち上がる部分は他の部位に比し偏肉構造となるため該立ち上がり部分の位置に対応する該成形キャビネットの反対面である外観面には成形加工時に凹痕状のヒケが発生し、外観品位を著しく低下させる原因となることがある。特に広い平坦面に光沢塗装を施した外観面では、艶消し仕上げや半艶仕上げ処理をした部位に比し凹痕や歪による僅かな表面の不均一性が強調され目立つ。
【０００３】
図６は液晶テレビの前キャビネット２２に光学系ユニットを取り付ける構造の従来例を示す前キャビネット２２の背面斜視図である。該前キャビネット２２には画像を表示するための液晶表示パネル１、およびバックライトシャーシ２４、光拡散板、光学シートセットなどにより構成されるバックライトユニットの四周が該前キャビネット２２と一体に形成されたリブ２２ａにより取り囲まれることにより該液晶表示パネル１と該バックライトユニットを含む光学系ユニットの取り付け位置が高精度で規制される。
【０００４】
図６に示すごとく光学系ユニットは、該光学系ユニットを構成するバックライトシャーシ２４にブラケット金具２６の一端が螺着され、該ブラケット金具２６の他端は前キャビネット２２背面に補強用リブ２８と共に形成されたボス２７に螺着されるが、偏肉部を有する該ボス２７および補強用リブ２８位置に対応する該前キャビネット２２の前面である外観面にヒケの不具合を発生する。
【０００５】
樹脂材料の分布が不均一となり偏肉部を形成するボスやリブを一体成形した射出成形キャビネットに発生するヒケを防止するには製品設計、成型金型設計および成形条件などの多くの段階で配慮が必要であるが根絶は困難である。近時、射出成形品のヒケや反りなどの変形防止手段として射出成型金型内に溶融樹脂材料を充填中に高圧の窒素ガスを注入するガスアシスト成形技術が開発されているが、意匠デザイン面の必要性から外観面を高光沢仕上げとするものではガスチャンネルの経路が外表面から認識され新たな外観品位低下の原因となる他に、ガス注入ピン位置やガス注入タイミングなど、設計および生産の各段階において複雑なノウハウを必要とする。
【０００６】
キャビネット内面にリブやボスを有する熱可塑性樹脂により成形加工された外観部品の表面に発生するヒケにより外観品位が損なわれる前記問題発生の防止手段としては、特許文献１に見られるごとくリブやボスに起因するヒケを有する下パネルのさらに表面を該リブや該ボスによる偏肉部分を有しない装飾用の上パネルにより覆う二重構造とする発明がなされているが、部品点数の増加による経済面でのデメリットを伴う。また他の例としては特許文献２に見られるごとく、ボスやリブに起因するヒケが、特に認識され易い前面に発生することを回避するために例えばテレビジョン受像機の前面パネルの周囲に形成された立壁部の所要位置に基部を形成し、この基部にボスを形成する発明がなされているが成型金型の構造が複雑となるデメリットを有している。
【特許文献１】特開平９−２８３９４０号公報
【特許文献２】特開２００３−２５９２５０号公報
【発明の開示】
【発明が解決しようとする課題】
【０００７】
液晶テレビなどの薄型表示装置を構成する額縁状の前キャビネットの背面には、種々の部品や液晶表示パネルユニットなどの内部構成部品を該前キャビネット背面に取り付けることを目的として、該前キャビネットの背面にボスやリブを該前キャビネットと一体に成形するが、偏肉構造を有する該ボスや該リブの配設位置に対応する該前キャビネットの前面に凹痕状のヒケが発生し外観品位を損なうことを回避する手段を提供する。
【課題を解決するための手段】
【０００８】
液晶表示パネルやプラズマディスプレイパネルなどを表示素子とする薄型表示装置の前キャビネットにおいて、薄型表示装置の前キャビネットに穿設された多数のスピーカ放音孔領域周辺に隣接し、該スピーカ放音孔領域と同一パターンで形成された装飾孔が形成された領域に対応する該前キャビネットの背面に偏肉構造のリブやボスを形成することにより、広く平坦な領域において目立つヒケが認識されることを回避または軽減し、外観品位が損なわれることを防止する。尚、意匠性を維持しつつキャビネット強度を保つために、装飾孔は有底孔が多く用いられる。
【０００９】
液晶表示パネルやプラズマディスプレイパネルなどを表示素子とする薄型表示装置のキャビネットにおいて、該薄型表示装置の前キャビネットは額縁状をなし、中央の表示領域の左右の領域にはスピーカパネル部が一体に形成されており、該スピーカパネル部に穿設された多数のスピーカ放音孔領域に隣接して該スピーカ放音孔領域と略同一パターンで形成された装飾孔領域に対応する該スピーカパネル部の背面に、リブやボスを形成することにより、キャビネット背面方向に設けられる部材を左右で安定して固定することが可能になると共に、広く平坦な領域において目立つヒケが認識されることを回避または軽減し、外観品位が損なわれることを防止する。また、高光沢仕上げのキャビネットにおいて特に効果的な発明である。
【発明の効果】
【００１０】
薄型表示装置の前キャビネットに穿設された多数のスピーカ部放音孔領域に隣接し、該スピーカ部放音孔と同一パターンで形成されたスピーカ部装飾孔が形成された領域に対応する該前キャビネットの背面に選択的に偏肉構造のリブやボスを形成することにより、広く平坦な領域において目立つヒケが認識されることを回避または軽減し、外観品位が損なわれることを防止する。
【発明を実施するための最良の形態】
【００１１】
以下、図に基づき本発明の実施形態を液晶テレビに適用した場合に関し説明する。図１（ａ）は液晶テレビの外観正面図、図１（ｂ）は側面図である。図１において１は画像表示のための液晶表示パネル、２は前キャビネット、３は後ろキャビネット、４は液晶テレビを卓上型として使用する場合のスタンド、５はキャリングハンドル、６はスピーカパネル部で該スピーカパネル部６の背面に配設されたスピーカボックスからの放音のため該スピーカパネル部６の背面にまで貫通する多数のスピーカ部放音孔が形成されているが、該スピーカ部放音孔領域周辺に隣接する領域にも意匠デザイン上の装飾を目的とする前キャビネットの背面にまで貫通しない多数の有底孔が形成されている。
【００１２】
次に、図２の液晶テレビ内部の分解斜視図に基づき光学系ユニットの構成を説明する。液晶表示パネル1の背面側には、液晶表示画面の高輝度化や面輝度均一化などの画像表示品位改善のため、光反射、偏光、屈折、光拡散など高度の光制御技術を利用し表面に多数のマイクロレンズアレイを形成するなどの手段を施した複数枚のフィルム状の光学シートセット１１が配設されている。さらに該光学シートセット１１の後方には該光学シートセット１１および該液晶表示パネル１の背面から光照射するためのバックライトユニット１５が配設されている。該バックライトユニット１５は光拡散板１２と共にバックライトシャーシ１４内部に多数の発光管１３が配設され構成されている。
【００１３】
図３は前キャビネット２の背面の斜視図で、該前キャビネット２の画像表示開口窓（図示せず）周辺に該前キャビネット２と一体に形成したリブ２ａにより液晶表示パネル１（図示せず）とバックライトユニット１５を取り囲むようにし取り付け位置を規制している。１７はバックライトシャーシ１４を該前キャビネット２に固定するためのボスである。また、該前キャビネット２の左右対象の位置に一体に形成された複数のスピーカパネル部６のそれぞれにステレオ音響効果を実現するためスピーカボックス７が配設されている。
【００１４】
図４は前キャビネット２と一体に形成されたスピーカパネル部６の背面斜視図である。該前キャビネット２には画像を表示するための液晶表示パネル１に加え、バックライトシャーシ１４、光拡散板１２、光学シートセット１１などにより構成されるバックライトユニット１５と共に一体化された光学系ユニットの四周が図４に示す該前キャビネット２と一体に形成されたリブ２ａにより取り囲まれ、該光学系ユニットの取り付け位置が高い精度で規制されている。
【００１５】
図4に示すごとく光学系ユニットは、該光学系ユニットを構成するバックライトシャーシ１４にブラケット金具１６の一端が螺着され、該ブラケット金具１６の他端はスピーカパネル部６の領域にまで延伸され、該スピーカパネル部６と一体に形成されたボス１７に螺着されるが、偏肉部を有する該ボス１７位置に対応する該スピーカパネル部６の前面である外観面にはヒケの不具合を発生する。尚、ブラケット金具１６は、バックライトシャーシ１４に一体で設けられる場合や、溶接にて予めバックライトシャーシ１４に固定されている場合もある。
【００１６】
図５は図１中に鎖線Ａ−Ａで示す切断線に沿って切断したスピーカパネル部６の縦断面斜視図である。光学系ユニットを構成するバックライトシャーシ１４に一端が螺着されたブラケット金具１６の他端は、選択的にスピーカパネル部６の領域にまで延伸され、該スピーカパネル部６と一体に形成されたボス１７に螺着されるが、偏肉部を有する該ボス１７や補強用リブ１８位置に対応する該スピーカパネル部６の前面である外観面には、ヒケの不具合を発生する。
【００１７】
偏肉部であるボス１７や補強用リブ１８が外観面にヒケを発生する前記不具合に対応するため、該ボス１７と該ボス１７の補強用リブ１８をスピーカパネル部６に配設している。該スピーカパネル部６にはスピーカボックス７に組み込まれたスピーカからの放音のため、多数のスピーカ部放音孔６ａが該スピーカボックス７の前面に対応する領域に穿設されている。該スピーカ部放音孔６ａが形成された領域に隣接し、該スピーカ部放音孔６ａと同一パターンで該スピーカパネル部６表面に多数の有底孔６ｂを形成した領域を形成することにより、広く平坦な領域において目立つ偏肉部を有するボス１７や補強用リブ１８により、広い平坦な外観面に発生するヒケが認識されることが回避、または軽減され外観の品位を損なうことがない。
【００１８】
また、図示はしないが、スピーカパネル部６の強度補強のために、多数の有底孔６ｂを形成した領域の裏面にリブを配置する場合にも、ヒケが認識されることが回避、または軽減され外観の品位を損なうことがない。特に、意匠デザイン面の必要性から外観面を高光沢仕上げとするものではこの効果が顕著となり、複雑なノウハウを必要とするガスアシスト成形技術を使わずに外観品位を保つことが可能となる。
【図面の簡単な説明】
【００１９】
【図１】本発明の実施形態に係わる液晶テレビの外観図である。
【図２】液晶テレビ内部の光学系の構成を説明する分解斜視図である。
【図３】前キャビネットの背面に液晶表示パネルとバックライトユニット、およびスピーカボックスを配設した状態を示す斜視図である。
【図４】前キャビネットおよび左側スピーカパネル部背面の斜視図である。
【図５】図１中に鎖線Ａ−Ａで示す切断線に沿って切断したスピーカパネル部の縦断面斜視図である。
【図６】前キャビネットへの光学系ユニット取り付け構造の従来例を示す前キャビネットの背面斜視図である。
【符号の説明】
【００２０】
１：  液晶表示パネル 
２：  前キャビネット
２ａ：  リブ
３：  後ろキャビネット
４：  スタンド
５：  キャリングハンドル
６：  スピーカパネル部
６ａ：  スピーカ部放音孔
６ｂ：  有底孔
７：  スピーカボックス
１１：  光学シートセット
１２：  光拡散板
１３：  発光管
１４：  バックライトシャーシ
１５：  バックライトユニット
１６：  ブラケット金具
１７：  ボス
１８：  補強用リブ
２２：  前キャビネット
２２ａ：  リブ
２４：  バックライトシャーシ
２５：  スピーカパネル部
２６：  ブラケット金具
２７：  ボス
２８：  補強用リブ
【図１】
2007116221.tif 000003
【図２】
2007116221.tif 000004
【図３】
2007116221.tif 000005
【図４】
2007116221.tif 000006
【図５】
2007116221.tif 000007
【図６】
2007116221.tif 000008